(57)【要約】【課題】光ファイバを巻き取りボビンに巻き取る際に、きれいに巻き取ることができる光ファイバの巻き取り方法を提供する。【解決手段】円筒形状の胴部１１と胴部１１の両端に設けた２つの円盤状の鍔部１２とを有するボビン１０の当該胴部１１に光ファイバ１３を巻き取る光ファイバの巻き取り方法であって、鍔部１２を胴部１１と反対側へ反らせて、ボビン１０の回転時に鍔部１２に光ファイバ１３が引っかからないようにして光ファイバ１３を巻き取る。【選択図】図１
2009109915.tif 000002
【特許請求の範囲】
【請求項１】
円筒形状の胴部と前記胴部の両端に設けた２つの円盤状の鍔部とを有するボビンの前記胴部に光ファイバを巻き取る光ファイバの巻き取り方法であって、
巻き取り時に前記鍔部を前記胴部と反対側へ反らせることを特徴とする光ファイバの巻き取り方法。
【請求項２】
前記鍔部を吸引して前記胴部と反対側へ反らせることを特徴とする請求項１に記載の光ファイバの巻き取り方法。
【請求項３】
前記鍔部をバネによって前記胴部と反対側へ反らせることを特徴とする請求項１に記載の光ファイバの巻き取り方法。
【請求項４】
前記鍔部における前記胴部と反対側の略全面を押さえて、前記ボビンの回転時に前記鍔部の振れを抑制して前記光ファイバを巻き取ることを特徴とする請求項１から３の何れか一項に記載の光ファイバの巻き取り方法。
【発明の詳細な説明】
【技術分野】
【０００１】
本発明は、光ファイバの巻き取り方法に関するものである。
【背景技術】
【０００２】
従来、金属線のように張力を強くかけることができない光ファイバを巻き取り用のボビンに巻き取る際に、整列に巻き取るためのボビン及び巻き取り方法が提案されている（例えば、特許文献１参照）。
【０００３】
特許文献１に記載の巻き取り用ボビンでは、胴部の円周方向の一部に軸方向に沿って分離部が設けられており、分離部にバネが設けられている。それにより、光ファイバを巻き取ることにより分離部の間隔を縮小させて胴部の胴径を縮小させたときには、バネの復帰力により分離部を広げて胴部の胴径を増大させる方向に付勢されることになる。これにより、温度変化に伴う胴径寸法の変化を吸収して、巻き取られた光ファイバの層間の隙間の発生を防止し、巻き崩れを防止している。
【０００４】
【特許文献１】特開２００１−１３０８３６号公報
【発明の開示】
【発明が解決しようとする課題】
【０００５】
ところで、胴部の両端に鍔部が設けられている巻き取り用のボビンを回転させて光ファイバ等の線状部材を巻き取る際に、鍔部の先端部（径方向外側部分）が胴部の中心軸方向に振れる場合がある。鍔部の先端部が振れる原因は、鍔部に曲がりやゆがみがあることによるもので、鍔部が胴部に接する箇所のみが固定されている構造となっており、鍔部の先端部は固定されていないためである。このような場合には、巻き取る光ファイバが鍔部に引っかかって線跳ねが発生し、整列して巻くことが難しい。巻き取る線状体に強く張力をかけた状態でボビンに巻き取ることで、比較的整列状態に巻くことが可能になるが、光ファイバには強い張力をかけて巻き取ると、光ファイバにかかる側圧が大きくなってＯＴＤＲ（Optical Time Domain Reflectometer）の測定時に、伝送損失量が大きく測定されてしまうという問題が生じる。そのため、高い張力をかけて巻き取ることができず、整列して巻くことが困難であった。
【０００６】
また、巻かれた光ファイバが整列されていないと、巻き崩れが起きるおそれがあるほか、ＯＴＤＲの測定時に、巻き乱れが生じた部分で伝送損失が発生するために、実際は光ファイバが不良ではなくても伝送損失量が大きく測定されてしまう。ＯＴＤＲの伝送損失量が大きい場合は、巻き直して再測定を行う必要があったり、その光ファイバは製品として不良として判断されて廃棄処分されることになったりするため、生産性の低下や製品ロスが発生することになる。
【０００７】
そこで、本発明の目的は、光ファイバを巻き取りボビンに巻き取る際に、整列させて巻き取ることができる光ファイバの巻き取り方法を提供することにある。
【課題を解決するための手段】
【０００８】
上記課題を解決することのできる本発明に係る光ファイバの巻き取り方法は、円筒形状の胴部と前記胴部の両端に設けた２つの円盤状の鍔部とを有するボビンの前記胴部に光ファイバを巻き取る光ファイバの巻き取り方法であって、巻き取り時に前記鍔部を前記胴部と反対側へ反らせることを特徴とする。
【０００９】
本発明に係る光ファイバの巻き取り方法において、前記鍔部を吸引して前記胴部と反対側へ反らせることが好ましい。
【００１０】
本発明に係る光ファイバの巻き取り方法において、前記鍔部をバネによって前記胴部と反対側へ反らせることが好ましい。
【００１１】
本発明に係る光ファイバの巻き取り方法において、前記鍔部における前記胴部と反対側の略全面を押さえて、前記ボビンの回転時に前記鍔部の振れを抑制して前記光ファイバを巻き取ることが好ましい。
【発明の効果】
【００１２】
本発明によれば、ボビンを回転させて光ファイバを巻き取る際に、鍔部を胴部と反対側へ反らせて光ファイバを巻き取るため、ボビンの回転時に光ファイバが鍔部に引っかかる不具合を防止して、光ファイバを巻き取りボビンに整列させて巻き取ることができる。
【発明を実施するための最良の形態】
【００１３】
以下、本発明の光ファイバの巻き取り方法に係る実施形態の例を、図面を参照しつつ説明する。
図１は本発明の第１実施形態に係る光ファイバの巻き取り方法を実施する巻き取り装置の一部を示す正面図、図２はボビンとボビンを回転可能に支持するピントルを分離した状態を示す正面図、図３はボビンの鍔部を外側へ反らせる機能を有するピントルの側面図である。
【００１４】
図１に示すように、本実施形態に係る光ファイバの巻き取り方法は、円筒形状の胴部１１と、胴部１１の両端に円盤状の鍔部１２とを有するボビン１０の当該胴部１１に光ファイバ１３を巻き取るものである。そして、巻き取りの際に、ボビン１０を回転可能に支持するピントル２０によってボビン１０の鍔部１２を胴部１１とは反対側の外側へ反らせた状態でボビン１０を回転させて光ファイバ１３を巻き取るようにしている。
【００１５】
図１及び図２に示すように、ボビン１０は、鍔部１２の開口１２ａおよび筒状の胴部１１によって、中央には胴部１１の軸線に沿って内部空間１１ａが設けられている。一般に、鍔部１２は、樹脂（ＡＢＳ）や金属等によって形成された円盤状のものであり、中央部に円形の開口１２ａが設けられていて、胴部１１の内部空間１１ａに連続している。また、ボビン１０は、左右一対のピントル２０ａ，２０ｂ（以後、ピントル２０とも総称する。）によって回転可能に支持されており、通常、一方のピントル２０ａが駆動側、他方のピントル２０ｂが従動側となって、ボビン１０を回転駆動するようになっている。
【００１６】
図２に示すように、ピントル２０は円盤状の回転ベース２１と、この回転ベース２１の中心から突出して設けられている嵌合部２２を有しており、回転ベース２１の内側（ボビン側）には、円盤状の押さえ板２３を有している。押さえ板２３はボビン１０の鍔部１２に比して十分に剛性の高いものであり、押さえ板２３は少なくとも鍔部１２の全面を覆う大きさの外径を有するのが望ましい。なお、左右のピントル２０ａ，２０ｂの少なくとも一方はモータ等の駆動手段によって駆動されている駆動側であり、他方側は回転自在の従動側となっている。
【００１７】
左右のピントル２０ａ，２０ｂは、嵌合部２２をボビン１０の鍔部１２の開口１２ａから胴部１１の内部空間１１ａに嵌入させ、ねじや油圧等の押圧手段により回転ベース２１をボビン１０の左右から押圧して挟持している。このピントル２０では、鍔部１２の外側面に接する押さえ板２３の前面２３ａが、外周縁に向けて外側（鍔部１２から遠ざかる側）へわずかに湾曲している。例えば、押さえ板２３の前面２３ａが、外側（ボビン１０と反対側）に中心を有する球面の一部を形成するようにすることができる。そして、押さえ板２３に、具体例を後述するような鍔部反り機構を設けることにより、ボビン１０の鍔部１２を外側へ湾曲させた状態でボビン１０を回転させて、光ファイバ１３を巻き取る。
【００１８】
これにより、ボビン１０の回転時に鍔部１２が振れて光ファイバ１３が鍔部１２に引っかかって線跳ねが発生するのを防止して、光ファイバ１３をボビン１０に整列して巻き取ることができるとともに、巻き取り時に光ファイバ１３が鍔部１２に接触して静電気が発生することも防止することができる。なお、巻き取った光ファイバ１３に静電気が生じると、巻き乱れが生じやすくなるとともに塵埃が付着しやすくなってしまうため、静電気の発生を防ぐことは有効である。また、鍔部１２が振れないため、ボビン１０を高速回転させても安定して光ファイバ１３を整列巻きすることが可能である。
【００１９】
また、巻き取り後には、鍔部１２は反りを付与している鍔部反り機構から解放されるので、鍔部１２は元の位置に戻ろうとして内側へ移動する。このため、鍔部１２は巻き取られた光ファイバ１３同士を互いに接触する方向へ押圧することになり、長期間光ファイバ１３を巻いたままで保管した際に、温度変化によって光ファイバが収縮して隙間ができて巻き崩れが生じることを防止することができる。
【００２０】
鍔部反り機構の具体例として、押さえ板２３に真空吸引装置を設けることができる。例えば、図３に示すように、押さえ板２３の全面にわたって複数個の吸引用の穴２３ｂを設けておき、真空ポンプによって各穴２３ｂから鍔部１２を吸引して押さえ板２３の前面２３ａに沿って反らせることができる。このとき、吸引用の穴２３ｂは、鍔部１２の外周部に多く設けて、鍔部１２の外周縁付近を吸引することが効果的である。あるいは、吸盤を用いて押さえ板２３の表面に沿って鍔部１２を固定するようにすることもできる。この場合でも、鍔部１２の外周部に吸盤を多く設けて、鍔部１２の外周縁付近を吸着させることが効果的である。
【００２１】
また、ボビン１０の両鍔部１２，１２をピントル２０ａ，２０ｂによって吸引しつつ両鍔部１２，１２の外側全面を押さえることで、ボビン１０の回転時に鍔部１２の振れを確実に防止して、光ファイバ１３が鍔部１２に引っかかることをより効果的に防ぐことができる。
【００２２】
また、図４に示すように、鍔部をバネによって外側へ反らせることもできる。例えば、ボビン１０の鍔部１２の外周面１２ｂに沿って溝１２ｃを形成し、この溝１２ｃを係止して押さえ板２３側へ引き付ける鍔引張機構を設ける。なお、溝１２ｃは鍔部１２の外周面１２ｂの全周に連続して設けることもできるし、バネで引っ張る複数箇所に穴状の溝１２ｃを設けるようにしてもよい。
【００２３】
図４に示すように、この鍔引張機構では、全体コ字状の係止部材２４の一端をさらに９０°折り曲げて、鍔部１２の溝１２ｃを係止する係止部２４ａを設けておき、係止部材２４の一辺２４ｂを押さえ板２３に固定するとともに、係止部材２４の中央部を支持部材２５によって支持する。そして、支持部材２５よりも外周側における係止部材２４と押さえ板２３の後面２３ｂとの間に圧縮バネ２６を設けて、係止部材２４を押さえ板２３から遠ざかる方向へ付勢する。これにより、係止部材２４の係止部２４ａが、鍔部１２の外周を押さえ板２３側に引っ張って、鍔部１２を押さえ板２３に沿って反らせることができる。
【００２４】
なお、鍔部１２を外側へ反らせる手段として、吸引またはばねによる場合について例示したが、これに限るものではない。
【図面の簡単な説明】
【００２５】
【図１】本発明に係る光ファイバの巻き取り方法を実施する巻き取り装置の要部を示す正面図である。
【図２】ボビンとボビンを回転可能に支持するピントルを分離した状態を示す正面図である。
【図３】吸引によってボビンの鍔部を外側へ反らせるピントルの側面図である。
【図４】バネによってボビンの鍔部を外側へ反らせるピントルの一例を示す側面図である。
【符号の説明】
【００２６】
１１  胴部
１２  鍔部
１３  光ファイバ
１０  ボビン
２４  バネ
【図１】
2009109915.tif 000003
【図２】
2009109915.tif 000004
【図３】
2009109915.tif 000005
【図４】
2009109915.tif 000006